(57)【要約】【課題】  金属製の綴じ針、糊、紐等を使用しないで、複数枚の紙類を綴じ込むことができる、小型で、ハンデイタイプの紙類の綴じ込み機を得る。【解決手段】  対向する外周面に互いに噛み合う複数の歯部１，１をそれぞれ有する一対の歯車２，３を有し、歯車２，３間に紙類４を送り込み、歯車２，３を回転させることにより噛み合った歯部１，１間で紙類４を圧縮して綴じる紙類の綴じ込み機であって、歯車２，３は躯体５に平行に組み込まれた一対の回転支持軸６，７に、対向する歯部１，１が噛み合うように位置決めして固定し、回転支持軸６，７は躯体５に、それぞれ回転可能に組み込み、回転支持軸６，７の内の一方の回転支持軸６には、ワンウエイクラッチ８を介して回転支持軸６を一方向に回転させるハンドル９を取り付けた。【選択図】    図３
2015112783.tif 000002
【特許請求の範囲】
【請求項１】
対向する外周面に互いに噛み合う複数の歯部をそれぞれ有する一対の歯車を有し、前記一対の歯車間に複数枚の紙類を送り込み、前記一対の歯車を回転させることにより噛み合った前記歯部間で前記複数枚の紙や金属シートを圧縮して綴じる紙類の綴じ込み機であって、
前記一対の歯車は躯体に平行に組み込まれた一対の回転支持軸に、対向する歯部が噛み合うように位置決めして固定し、前記一対の回転支持軸は前記躯体に、それぞれ回転可能に組み込み、前記一対の回転支持軸の内の一方の回転支持軸には、ワンウエイクラッチを介して前記一方の回転支持軸を一方向に回転させるハンドルを取り付けたことを特徴とする紙類の綴じ込み機。
【請求項２】
前記一対の回転支持軸は前記躯体に、それぞれ回転に所定の負荷がかけられた状態で回転可能に組み込まれていることを特徴とする請求項１に記載の紙等の綴じ込み機。
【請求項３】
前記一対の回転支持軸の内の他方の回転支持軸を、圧縮可能な弾性体で一方の回転支持軸に対し平行に接近離反方向への移動を可能に支持させ、前記弾性体の締め付け度合いによる伸縮性に基づく移動許容範囲の調節が行えるようにし、前記一対の回転支持軸に固定された一方の歯車の歯部と他方の回転支持軸に固定された他方の歯車の歯部とによる紙類の圧縮力の調節が行えるようにした圧縮力調節手段を備えたことを特徴とする請求項１または２のいずれか１に記載の紙類の綴じ込み機。
【請求項４】
前記圧縮力調節手段は、前記他方の回転支持軸の両端部にそれぞれ雌ねじ部を形成し、そして、前記他方の回転支持軸の中程に前記他方の歯車を固定して、その両端部を躯体の両側に突出させ、前記回転支持軸の両端部外周に筒状に形成した前記弾性体を嵌合し、前記雌ねじ部に前記弾性体に当接する押圧体を介在させて雄ねじを螺合することにより、前記押圧体と前記躯体との間で前記弾性体の締め付けを行う構成としたことを特徴とする請求項３に記載の紙類の綴じ込み機。
【請求項５】
前記圧縮力調節手段は、前記躯体を上下に分割して上側躯体と下側躯体とし、上側躯体には底面に開口する雌ねじ穴を形成し、下側躯体には雌ねじ穴に一致する位置に開口するボルト挿通孔を形成して、下側躯体の下面側からボルトを挿通し、上側躯体の雌ねじ穴に螺合することにより、上側躯体と下側躯体を固定可能とし、前記ボルトと下側躯体との間に筒状に形成した前記弾性体を介在させ、且つ前記弾性体とボルトの頭部との間に押圧体を介在させ、前記ボルトを上側躯体の雌ねじ穴に螺合することにより、前記押圧体と前記下側躯体との間で前記弾性体の締め付けを行う構成としたことを特徴とする請求項３に記載の紙類の綴じ込み機。
【請求項６】
前記一方の回転支持軸に固定された一方の歯車には、前記歯部を有する周囲の一部に切り欠き平面部を形成し、前記一方の歯車の切り欠き平面部と他方の歯車の歯部との間に紙類挿入間隙を形成したことを特徴とする請求項２乃至４のいずれか１に記載の紙類の綴じ込み機。
【請求項７】
前記躯体には、前記ハンドル操作により前記歯車が回転し、前記一方の歯車の切り欠き平面部が前記他方の歯車の接線方向と平行になった位置で、前記一方の歯車の回転を規制する歯車回転規制手段を備えていることを特徴とする請求項６に記載の紙等の綴じ込み機。
【請求項８】
前記歯車回転規制手段は、前記一方の歯車と同軸上に前記一方の歯車と同心の円盤部を設け、前記円盤部の外周で前記一方の歯車の切り欠き平面部に対応する位置に切り欠き溝部を設け、後端部を前記躯体に回動自在に軸着し、先端部に、前記一方の歯車の回転とともに回転する前記円盤部の外周に摺接し、前記一方の歯車の切り欠き平面部が前記他方の歯車の接線方向と平行になった位置で、前記円盤部の外周に設けた切り欠き溝部に係止し、前記一方の歯車の回転を阻止する爪部を有するラチェットを設けた構成となっていることを特徴とする請求項７に記載の紙等の綴じ込み機。
【請求項９】
前記ラチェットは、後部側に前記一方の回転支持軸を一方向に回転させる前記ハンドルに係止離脱可能な係止部を有し、前記ハンドルを前記一方の回転支持軸を回転させる一方向へ回動する動作時には、前記係止部が前記ハンドルから離脱して前記ラチェットの爪部が前記円盤部の外周に摺接し、前記一方の歯車の切り欠き平面部が前記他方の歯車の接線方向と平行になった位置で、前記円盤部の外周に設けた切り欠き溝部に係止し、前記ハンドルを他方向へ回動する操作時には、前記係止部が前記ハンドルに係止して持ち上げられ、前記ラチェットの爪部が前記円盤部の外周に設けた切り欠き溝部から外れるようになっていることを特徴とする請求項８に記載の紙等の綴じ込み機。
【発明の詳細な説明】
【技術分野】
【０００１】
本発明は、金属製の綴じ針、糊、紐等を使用しないで、複数枚の紙、合成樹脂フィルム、金属シートなど（以下、紙類という。）を綴じ込むことができるハンデイタイプの紙類の綴じ込み機に関する。
【背景技術】
【０００２】
従来、冊子や帳票等の多くが金属製の綴じ針や糊等で綴じられていて作成されている。  しかし、金属製の綴じ針の場合は、その綴じ状態が不完全であると、綴じ針の端部が飛び出して危険な場合がある。また、冊子や帳票等が不要になり破棄する場合、必要に応じてシュレッダーにより裁断し、そして、焼却処分し、あるいは省資源といった観点から再生紙として再利用することが行われているが、金属製の綴じ針で綴じられたものは、シュレッダーの刃の損傷を避けるため、金属製の綴じ針を外す必要があった。また、糊で綴じられたものは、その糊がホットメルト等の樹脂系糊である場合、焼却の際、有毒ガスが発生するので、糊部分の切り落とし作業をしなければならない。これらの作業は手間がかかり、人件費等のコストにも跳ね返る。
【０００３】
これらの問題点対応するため、金属製の針や糊を使用しないで、紙を綴じ込むことができるものとして、例えば、帳票等の複数枚を綴じ込むとき、一枚一枚の紙に水分を供給し、凹凸が連なった綴じ部材で上下から圧力を掛けて綴じ込む装置が記載されている（例えば、特許文献１、２参照。）。
【先行技術文献】
【特許文献】
【０００４】
【特許文献１】特許第３４８１３００号公報
【特許文献２】特許第３５０２２０４号公報
【発明の概要】
【発明が解決しようとする課題】
【０００５】
しかしながら、特許文献１及び特許文献２で開示されている金属製の針や糊を使用しないで、紙を綴じ込むことができる装置は、コピー機等に組み込まれている装置であって、大型であり、ハンデイタイプの紙の綴じ込み機は提案されていなかった。
【０００６】
本発明の目的は、互いに噛み合う複数の歯部をそれぞれ有する一対の歯車により、金属製の綴じ針、糊、紐等を使用しないで、複数枚の紙類を綴じ込むことができる、小型で、ハンデイタイプの紙類の綴じ込み機を提供することにある。
本発明の他の目的は、綴じようとする紙類の厚さ、枚数、硬さ、柔らかさに応じ、破れを抑えた状態で確実に綴じ込みを行うことができる紙類の綴じ込み機を提供することにある。
【課題を解決するための手段】
【０００７】
上記の目的を達成するために、請求項１に記載の発明は、対向する外周面に互いに噛み合う複数の歯部をそれぞれ有する一対の歯車を有し、前記一対の歯車間に複数枚の紙類を送り込み、前記一対の歯車を回転させることにより噛み合った前記歯部間で前記複数枚の紙類を圧縮して綴じる紙類の綴じ込み機であって、前記一対の歯車は躯体に平行に組み込まれた一対の回転支持軸に、対向する歯部が噛み合うように位置決めして固定し、前記一対の回転支持軸は前記躯体に、それぞれ回転可能に組み込み、前記一対の回転支持軸の内の一方の回転支持軸には、ワンウエイクラッチを介して前記一方の回転支持軸を一方向に回転させるハンドルを取り付けたことを特徴とする。
【０００８】
請求項２に記載の発明は、請求項１に記載の、前記一対の回転支持軸は前記躯体に、それぞれ回転に所定の負荷がかけられた状態で回転可能に組み込まれていることを特徴とする。
【０００９】
請求項３に記載の発明は、請求項１または２のいずれか１に記載の、前記一対の回転支持軸の内の他方の回転支持軸を、圧縮可能な弾性体で一方の回転支持軸に対し平行に接近離反方向への移動を可能に支持させ、前記弾性体の締め付け度合いによる伸縮性に基づく移動許容範囲の調節が行えるようにし、前記一対の回転支持軸に固定された一方の歯車の歯部と他方の回転支持軸に固定された他方の歯車の歯部とによる紙類の圧縮力の調節が行えるようにした圧縮力調節手段を備えたことを特徴とする。
【００１０】
請求項４に記載の発明は、請求項３に記載の、前記圧縮力調節手段は、前記他方の回転支持軸の両端部にそれぞれ雌ねじ部を形成し、そして、前記他方の回転支持軸の中程に前記他方の歯車を固定して、その両端部を躯体の両側に突出させ、前記回転支持軸の両端部外周に筒状に形成した前記弾性体を嵌合し、前記雌ねじ部に前記弾性体に当接する押圧体を介在させて雄ねじを螺合することにより、前記押圧体と前記躯体との間で前記弾性体の締め付けを行う構成としたことを特徴とする。
【００１１】
請求項５に記載の発明は、請求項３に記載の、前記圧縮力調節手段は、前記躯体を上下に分割して上側躯体と下側躯体とし、上側躯体には底面に開口する雌ねじ穴を形成し、下側躯体には雌ねじ穴に一致する位置に開口するボルト挿通孔を形成して、下側躯体の下面側からボルトを挿通し、上側躯体の雌ねじ穴に螺合することにより、上側躯体と下側躯体を固定可能とし、前記ボルトと下側躯体との間に筒状に形成した前記弾性体を介在させ、且つ前記弾性体とボルトの頭部との間に押圧体を介在させ、前記ボルトを上側躯体の雌ねじ穴に螺合することにより、前記押圧体と前記下側躯体との間で前記弾性体の締め付けを行う構成としたことを特徴とする。
【００１２】
請求項６に記載の発明は、請求項２乃至４のいずれか１に記載の、前記一方の回転支持軸に固定された一方の歯車には、前記歯部を有する周囲の一部に切り欠き平面部を形成し、前記一方の歯車の切り欠き平面部と他方の歯車の歯部との間に紙類挿入間隙を形成したことを特徴とする。
【００１３】
請求項７に記載の発明は、請求項６に記載の、前記躯体には、前記ハンドル操作により前記歯車が回転し、前記一方の歯車の切り欠き平面部が前記他方の歯車の接線方向と平行になった位置で、前記一方の歯車の回転を規制する歯車回転規制手段を備えていることを特徴とする。
【００１４】
請求項８に記載の発明は、請求項７に記載の、前記歯車回転規制手段は、前記一方の歯車と同軸上に前記一方の歯車と同心の円盤部を設け、前記円盤部の外周で前記一方の歯車の切り欠き平面部に対応する位置に切り欠き溝部を設け、後端部を前記躯体に回動自在に軸着し、先端部に、前記一方の歯車の回転とともに回転する前記円盤部の外周に摺接し、前記一方の歯車の切り欠き平面部が前記他方の歯車の接線方向と平行になった位置で、前記円盤部の外周に設けた切り欠き溝部に係止し、前記一方の歯車の回転を阻止する爪部を有するラチェットを設けた構成となっていることを特徴とする。
【００１５】
請求項９に記載の発明は、請求項８に記載の、前記ラチェットは、後部側に前記一方の回転支持軸を一方向に回転させる前記ハンドルに係止離脱可能な係止部を有し、前記ハンドルを前記一方の回転支持軸を回転させる一方向へ回動する動作時には、前記係止部が前記ハンドルから離脱して前記ラチェットの爪部が前記円盤部の外周に摺接し、前記一方の歯車の切り欠き平面部が前記他方の歯車の接線方向と平行になった位置で、前記円盤部の外周に設けた切り欠き溝部に係止し、前記ハンドルを他方向へ回動する操作時には、前記係止部が前記ハンドルに係止して持ち上げられ、前記ラチェットの爪部が前記円盤部の外周に設けた切り欠き溝部から外れるようになっていることを特徴とする。
【発明の効果】
【００１６】
請求項１に記載の紙類の綴じ込み機によれば、前記ハンドルを一方向に回動する操作により、前記一方の回転支持軸に固定した前記一方の歯車が回転し、前記一方の歯車の回転に伴って、前記一方の歯車の前記歯部に噛み合う前記他方の歯車が回転し、前記回転する一対の歯車の間に複数枚の紙類を送り込むことにより、複数枚の紙類は、前記一対の歯車の歯部の噛み合いにより圧縮され、この圧縮により生じた結着力によって確実に綴じ込むことができる。
そして、前記一方の回転支持軸を回転させる前記ハンドルは、ワンウエイクラッチを介して前記一方の回転支持軸に取り付けられているので、前記ハンドルを連続して往復回動しても、前記一方の回転支持軸は一方向のみへの回転が得られ、複数枚の紙類の綴じ込みを容易に行うことができる。
また、構成が簡単なので、小型で、ハンデイタイプの紙の綴じ込み機を得ることができる。
【００１７】
請求項２に記載の紙類の綴じ込み機によれば、前記一対の回転支持軸は前記躯体に、それぞれ回転に所定の負荷がかけられた状態で回転可能に組み込まれているので、前記躯体に組み込まれている前記一対の回転支持軸は、不用意な回転が防止され、前記一対の回転支持軸に固定されている前記一対の歯車の前記歯部間に安定した噛み合い状態を得ることができる。
【００１８】
請求項３に記載の紙類の綴じ込み機によれば、綴じようとする紙類の厚さ、枚数、硬さ、柔らかさに応じて、前記圧縮力調節手段により前記弾性体の締め付け度合いを調節して一方の歯車の歯部と他方の歯車の歯部とによる紙類の圧縮力の調節することにより、紙類に破れを生じさせるような強い圧縮力が加わったとき、他方の歯車を固定している他方の回転支持軸が前記弾性体の伸縮性に応じて前記一方の歯車を固定している前記一方の回転支持軸から離反方向に逃げることにより、前記強い圧縮力を緩和することになり、破れを抑えた状態で確実に綴じ込みを行うことができる。
【００１９】
請求項４に記載の紙類の綴じ込み機によれば、前記躯体の両側に突出している前記他方の回転支持軸の両端部に形成したそれぞれ雌ねじ部に螺合している雄ねじによる締め付けといった簡単な操作で前記弾性体の締め付け度合いによる伸縮性に基づく移動許容範囲を調節し、前記一対の回転支持軸に固定された一方の歯車の歯部と他方の回転支持軸に固定された他方の歯車の歯部とによる紙類の圧縮力の調節を行うことができる。
【００２０】
請求項５に記載の紙類の綴じ込み機によれば、下側躯体の下面側から挿通し上側躯体の雌ねじ部に螺合しているボルトによる締め付けといった簡単な操作で前記弾性体の締め付け度合いによる伸縮性に基づく移動許容範囲を調節し、前記一対の回転支持軸に固定された一方の歯車の歯部と他方の回転支持軸に固定された他方の歯車の歯部とによる紙類の圧縮力の調節を行うことができる。
【００２１】
請求項６に記載の紙類の綴じ込み機によれば、前記一方の歯車の切り欠き平面部を前記他方の歯車の接線方向と平行にすることにより前記一方の歯車の切り欠き平面部と他方の歯車の歯部との間に形成された紙類挿入間隙に紙類を挿入して前記一方の歯車を回転させることにより、前記一方の歯車における歯部が形成されている範囲で紙類の一部の綴じ込みを行うことができる。
【００２２】
請求項７に記載の紙類の綴じ込み機によれば、前記歯車回転規制手段により前記一方の歯車の切り欠き平面部を前記他方の歯車の接線方向と確実に平行な状態にすることができ、紙類の挿入作業を容易に行うことができる。
【００２３】
請求項８に記載の紙類の綴じ込み機によれば、前記ハンドル操作により前記一方の回転支持軸を回転させるといた簡単な操作で、回転する一方の歯車の前記切り欠き平面部が前記他方の歯車の接線方向と平行になった位置で一方の歯車の回転を阻止することができ、前記一方の歯車の切り欠き平面部を前記他方の歯車の接線方向と確実に平行な状態にすることができる。
【００２４】
請求項９に記載の紙類の綴じ込み機によれば、前記ハンドルを他方向へ回動するといった簡単な操作により、一方の歯車の回転の阻止を解除することができ、前記ハンドルを一方へ回動して一方の歯車を回転させ、紙類の綴じ込みを再開することができる。
【図面の簡単な説明】
【００２５】
【図１】本発明に係る紙類の綴じ込み機の実施の形態の第１例を示す一部省略右側面図である。
【図２】図１の一部省略拡大平面図である。
【図３】図２のＡ−Ａ断面図である。
【図４】図１の一部省略拡大正面図である。
【図５】図１の一部省略拡大背面図である。
【図６】図１の一部省略拡大右側面図である。
【図７】図１の一部省略拡大左側面図である。
【図８】図１に示す一対の歯車の拡大斜視図である。
【図９】本例の一対の歯車の回転動作を示す説明図である。
【図１０】本例の一対の歯車の回転動作を示す説明図である。
【図１１】本例の一対の歯車の回転動作を示す説明図である。
【図１２】本発明に係る紙類の綴じ込み機の実施の形態の第２例を示す一部省略断面図である。
【図１３】一対の歯車の他例を示す説明図である。
【図１４】図１３の一対の歯車の回転駆動機構を示す説明図である。
【発明を実施するための形態】
【００２６】
以下、本発明に係る紙類の綴じ込み機の実施の形態を図面に基づいて詳細に説明する。
図１乃至図１１は本発明に係る紙類の綴じ込み機の実施の形態の第１例を示すものであり、図１は本例の一部省略右側面図、図２は図１の一部省略拡大平面図、図３は図２のＡ−Ａ断面図、図４は図１の一部省略拡大正面図、図５は図１の一部省略拡大背面図、図６は図１の一部省略拡大右側面図、図７は図１の一部省略拡大左側面図、図８は図１に示す一対の歯車の拡大斜視図、図９、図１０、図１１は本例の一対の歯車の回転動作を示す説明図である。
【００２７】
本例の紙類の綴じ込み機は、上下に対向して配置され、対向する外周面に互いに噛み合う複数の歯部１をそれぞれ有する一対の歯車２，３を有し、上下の歯車２，３間に複数枚の紙類４を紙を送り込み、上下の歯車２，３を回転させることにより噛み合った歯部１、１間で複数枚の紙類４を圧縮して綴じるものであって、上下の歯車２，３は躯体５に上下方向に平行に組み込まれた一対の回転支持軸６，７に、対向する歯部１，１が噛み合うように位置決めして固定され、上下の回転支持軸６，７は躯体５に、それぞれ回転可能に組み込まれており、上側の回転支持軸６には、ワンウエイクラッチ８を介して上側の回転支持軸６を一方向に回転させるハンドル９が取り付けられている。
【００２８】
さらに詳細には、本例では、躯体５は上側躯体１０と、下側躯体１１とからなり、上側躯体１０と、下側躯体１１は、さらに左右に分割され、左上側躯体部１０ａ、右上側躯体部１０ｂと、左下側躯体部１１ａ、右下側躯体部１１ｂとで構成されており、上側躯体１０と下側躯体１１はボルト２２により着脱可能に固定されており、また、左上側躯体部１０ａと右上側躯体部１０ｂとは、また左下側躯体部１１ａと右下側躯体部１１ｂとは、それぞれボルト（図示せず）で着脱可能に固定されている。
【００２９】
左上側躯体部１０ａと右上側躯体部１０ｂには、上側の回転支持軸６を回転自在に挿通する挿通孔１２ａ，１２ｂが設けられ、左上側躯体部１０ａと右上側躯体部１０ｂとの間には、上側の回転支持軸６の中程に固定された上側の歯車２を収容し、上側の歯車２の歯部１を上側躯体１０の下面から突出させる空間部１３が形成されている。
【００３０】
また、左下側躯体部１１ａと右下側躯体部１１ｂには、下側の回転支持軸７を回転自在に挿通する挿通孔１４ａ，１４ｂが設けられ、左下側躯体部１１ａと右下側躯体部１１ｂとの間には、下側の回転支持軸７の中程に固定された下側の歯車３を収容し、下側の歯車３の歯部１を下側躯体１１の上面から突出させ、下側の歯車３の歯部１を上側躯体１０の下面から突出している上側の歯車２の歯部１と噛み合わせる空間部１５が形成されている。
【００３１】
そして、上側躯体１０への上側の歯車２を固定した上側の回転支持軸６の組み込みは、上側の回転支持軸６の一端側を左上側躯体部１０ａの挿通孔１２ａに、空間部１３の形成面側から挿通し、端部を左上側躯体部１０ａから突出させ、また、上側の回転支持軸６の他端側を右上側躯体部１０ｂの挿通孔１２ｂに、空間部１３の形成面側から挿通し、端部を右上側躯体部１０ｂから突出させ、左上側躯体部１０ａと右上側躯体部１０ｂとをボルトで固定する。
【００３２】
上側の回転支持軸６の両端部にはそれぞれ軸方向に雌ねじ部１６，１６が形成されており、それぞれの雌ねじ部１６，１６に雄ねじ１７，１７を螺合し、両側から締め付けることにより上側の回転支持軸６を上側躯体１０に回転可能に組み込んでいる。上側の回転支持軸６と左上側躯体部１０ａの間及び上側の回転支持軸６と右上側躯体部１０ｂの間には、それぞれ軸受１８が介装されてる。また、上側の歯車２の側面と左上側躯体部１０ａ及び右上側躯体部１０ｂの間にはそれぞれワッシャ１９が介装されている。
【００３３】
また、本例では、左上側躯体部１０ａから突出している上側の回転支持軸６の端部には、ワンウエイクラッチ８が取り付けられ、ワンウエイクラッチ８には、上側の回転支持軸６を一方向に回転させるハンドル９が取り付けられており、ハンドル９が取り付けられたワンウエイクラッチ８は、左上側躯体部１０ａから突出している上側の回転支持軸６の端部に形成されている雌ねじ部１６に螺合した雄ねじ１７により上側の回転支持軸６の端部に取り付けられている。
本例では、ハンドル９を下方に回動したとき上側の回転支持軸６を一方向に回転させ、上方に回動したときはワンウエイクラッチ８が切れるようになっている。
【００３４】
ワンウエイクラッチ８と左上側躯体部１０ａとの間には、上側の回転支持軸６の回転に所定の負荷を与えるブレーキ部２０が介装されている。ブレーキ部２０として、本例では上側の回転支持軸６の回転に摩擦抵抗による負荷を与えるウレタン樹脂が使用されている。ブレーキ部２０による負荷は、上側の回転支持軸６の自由な回転を阻止するとともに、ハンドル９の操作による回転の妨げにならない程度の負荷に設定されている。
【００３５】
また、本例では、左上側躯体部１０ａとハンドル９との間に、ハンドル９を上方に回動するように付勢するバネ２１が介装されている。
【００３６】
また、下側躯体１１への下側の歯車３を固定した下側の回転支持軸７の組み込みは、下側の回転支持軸７の一端側を左下側躯体部１１ａの挿通孔１４ａに、空間部１５の形成面側から挿通し、端部を左下側躯体部１１ａから突出させ、また、下側の回転支持軸７の他端側を右下側躯体部１１ｂの挿通孔１４ｂに、空間部１５の形成面側から挿通し、端部を右下側躯体部１１ｂから突出させ、左下側躯体部１１ａと右下側躯体部１１ｂとをボルトで固定する。
【００３７】
下側の回転支持軸７の両端部にはそれぞれ軸方向に雌ねじ部２３，２３が形成されており、それぞれの雌ねじ部２３，２３に雄ねじ２４，２４を螺合し、両側から締め付けることにより下側の回転支持軸７を下側躯体１１に回転可能に組み込んでいる。下側の歯車３の一側面と左下側躯体部１１ａとの間にはワッシャ２５が介装されいる。また、下側の歯車３の他側面と右下側躯体部１１ｂとの間には、下側の回転支持軸７の回転に所定の負荷を与えるブレーキ部２６が介装されている。ブレーキ部２６として、本例では下側の回転支持軸７の回転に摩擦抵抗による負荷を与えるウレタン樹脂が使用されている。ブレーキ部２６による負荷は、下上側の回転支持軸７の自由な回転を阻止するとともに、上側の歯車２の回転に伴う回転の妨げにならない程度の負荷に設定されている。
【００３８】
このようにして上側の歯車２を固定した上側の回転支持軸６を組み込んだ上側躯体１０と下側の歯車３を固定した下側の回転支持軸７を組み込んだ下側躯体１１との間には、複数枚重ねた紙類４を上側の歯車２と下側の歯車３の間に送り込む間隙Ｓが形成されている。
【００３９】
また、本例では、上側の回転支持軸６に固定された上側の歯車２の歯部１と下側の回転支持軸７に固定された下側の歯車３の歯部１とによる紙類４の圧縮力の調節が行えるようにした圧縮力調節手段２７を備えている。
本例における圧縮力調節手段２７は、下側の回転支持軸７の両端側を挿通する左下側躯体部１１ａの挿通孔１４ａと右下側躯体部１１ｂの挿通孔１４ｂを下側の回転支持軸７よりも大径とし、左下側躯体部１１ａと右下側躯体部１１ｂから突出する下側の回転支持軸７のそれぞれの端部の外周に筒状に形成した弾性体２８，２８を嵌合し、下側の回転支持軸７の両端部にはそれぞれ軸方向に形成されている雌ねじ部２３，２３に弾性体２８，２８に当接する押圧体２９，２９を介在させて雄ねじ２４，２４を螺合することにより、押圧体２９，２９と左下側躯体部１１ａ及び右下側躯体部１１ｂとの間で弾性体２８，２８の締め付けを行う構成としている。弾性体２８，２８として、本例ではウレタン樹脂が使用されている。
【００４０】
また、本例で使用される上側の回転支持軸６に固定された上側の歯車２と下側の回転支持軸７に固定された下側の歯車３にあっては、例えば、特許第５３６１８５８号で開示されている歯車を使用することができるが、特に限定されない。
【００４１】
また、本例では、歯車２，３のうち、上側の歯車２には、歯部１を有する周囲の一部に切り欠き平面部３０が形成されており、上側の歯車２の切り欠き平面部３０と下側の歯車３の歯部１との間に紙類挿入間隙３１が形成されるようになっている。この紙類挿入間隙３１の間隔は、複数枚重ねた紙類４が挿入できる間隔となるように設定されている。本例では、上側の歯車２の歯部１を有する周囲の１８０度方向両側に、１８０度方向と直交する方向に平行な切り欠き平面部３０が形成されている。
【００４２】
また、本例では、躯体１に、ハンドル９の操作により歯車２，３を回転させ、上側の歯車２の切り欠き平面部３０が下側の歯車３の接線方向と平行になった位置で、上側の歯車２の回転を規制する歯車回転規制手段３２を備えている。
本例における歯車回転規制手段３２は、上側の歯車２と同軸上に歯車２と同心の円盤部３３を歯車２と一体に設け、円盤部３３の外周で歯車２の切り欠き平面部３０に対応する位置に切り欠き溝部３４を設け、左上側躯体部１０ａに、左上側躯体部１０ａと右上側躯体部１０ｂとの間に形成される空間部１３内に位置して、先端部に爪部３５を有するラチェット３６の後端部を、ハンドル９の回動方向と同方向に回動自在に軸着し、先端部に有する爪部３５を上側の歯車２の回転とともに回転する円盤部３３の外周に摺接させ、上側の歯車２の切り欠き平面部３０が下側の歯車３の接線方向と平行になった位置で、爪部３５が円盤部３３の外周に設けた切り欠き溝部３４に係止し、上側の歯車３２の回転を阻止する構成としている。
【００４３】
さらに、本例では、ラチェット３６は、後部側に上側の回転支持軸６を一方向に回転させるハンドル９に係止離脱可能な係止部３７を有し、ハンドル９を下方へ回動し上側の回転支持軸６を回転させる動作時には、ハンドル９の下方へ回動動作に遅れて係止部３７がハンドル９から離脱し、ラチェット３６が自重によりハンドル９と同方向に回動し、先端部に有する爪部３５が円盤部３３の外周に摺接し、上側の歯車２の切り欠き平面部３０が下側の歯車３の接線方向と平行になった位置で円盤部３３の外周に設けた切り欠き溝部３４に係止し、ハンドル９を上方へ回動したときには、係止部３７がハンドル９に係止して持ち上げられてハンドル９と同方向へ回動し、ラチェット３６の爪部３５が円盤部３３の外周に設けた切り欠き溝部３４から外れるようになっている。
また、本例では、下側躯体１の下面には台板３８が取り付けられている。
【００４４】
このように構成された本例の紙類の綴じ込み機によれば、ハンドル９を回動すると上側の回転支持軸６の回転により、上側の回転支持軸６に固定した上側の歯車２が回転し、上側の歯車２の回転に伴って、上側の歯車２の歯部１に噛み合う下側の歯車３が回転する。  このようにして回転する歯車２と歯車３の間に複数枚の紙類４を送り込むことにより、複数枚の紙類４は、歯車２と歯車３の歯部１，１の噛み合いにより圧縮され、この圧縮により生じた結着力によって綴じ込まれる。
【００４５】
本例では、ワンウエイクラッチ８と左上側躯体部１０ａとの間に、上側の回転支持軸６の回転に所定の負荷を与えるブレーキ部２０が介装され、また、下側の歯車３の他側面と右下側躯体部１１ｂとの間には、下側の回転支持軸７の回転に所定の負荷を与えるブレーキ部２６が介装されているので、ブレーキ部２０，２６により上側の回転支持軸６と下側の回転支持軸７の不用意な回転が防止され、上側の回転支持軸６と下側の回転支持軸７に固定されている歯車２と歯車３の歯部１，１間に安定した噛み合い状態が得られる。
【００４６】
また、本例では、下側の回転支持軸７の両端側を挿通する左下側躯体部１１ａの挿通孔１４ａと右下側躯体部１１ｂの挿通孔１４ｂを下側の回転支持軸７よりも大径とし、左下側躯体部１１ａと右下側躯体部１１ｂから突出する下側の回転支持軸７のそれぞれの端部の外周に筒状に形成した弾性体２８，２８を嵌合し、下側の回転支持軸７の両端部にはそれぞれ軸方向に形成されている雌ねじ部２３，２３に弾性体２８，２８に当接する押圧体２９，２９を介在させて雄ねじ２４，２４を螺合することにより、押圧体２９，２９と左下側躯体部１１ａ及び右下側躯体部１１ｂとの間で弾性体２８，２８の締め付けを行う構成とした圧力調整手段２７を備えているので、複数枚の紙類４を歯車２と歯車３の歯部１，１の噛み合いにより圧縮したとき、この圧縮力が弾性体２８，２８の弾力より大きいとき、弾性体２８，２８が圧縮されて下側の回転支持軸７が上側の回転支持軸６から離反方向に移動し、歯車２と歯車３の歯部１，１による紙類４の圧縮力が緩和されることになり、紙類４に無理な圧縮力が加わらず、破れを抑えた状態で綴じ込みが行える。
そして、この弾性体２８，２８の弾力は、雄ねじ２４，２４により押圧体２９，２９と左下側躯体部１１ａ及び右下側躯体部１１ｂとの間で弾性体２８，２８を締め付けることにより容易に調節することができ、紙類４の厚さ、枚数、硬さ、柔らかさに応じて調節できる。
【００４７】
また、本例では、歯車２，３のうち、上側の歯車２には、１８０度方向両側に、１８０度方向と直交する方向に平行な切り欠き平面部３０が形成されており、上側の歯車２の切り欠き平面部３０と下側の歯車３の歯部１との間に紙類挿入間隙３１が形成されるようになっているので、上側の歯車２の切り欠き平面部３０を下側の歯車３の接線方向と平行にすることにより、上側の歯車２の切り欠き平面部３０と下側の歯車３の歯部１との間に形成された紙類挿入間隙３１に紙類４を挿入して歯車２，３を回転させることにより、上側の歯車２における歯部１が形成されている範囲で紙類４の一部の綴じ込みが行える。
【００４８】
また、本例では、上側の歯車２と同軸上に歯車２と同心の円盤部３３を歯車２と一体に設け、円盤部３３の外周で歯車２の切り欠き平面部３０に対応する位置に切り欠き溝部３４を設け、左上側躯体部１０ａに、左上側躯体部１０ａと右上側躯体部１０ｂとの間に形成される空間部１３内に位置して、先端部に爪部３５を有するラチェット３６の後端部を、ハンドル９の回動方向と同方向に回動自在に軸着し、先端部に有する爪部３５を上側の歯車２の回転とともに回転する円盤部３３の外周に摺接させ、上側の歯車２の切り欠き平面部３０が下側の歯車３の接線方向と平行になった位置で、爪部３５が円盤部３３の外周に設けた切り欠き溝部に係止し、上側の歯車３２の回転を阻止する構成の歯車回転規制手段３２を備えているので、ハンドル９の操作により上側の回転支持軸６を回転させることにより、回転する上側の歯車２の切り欠き平面部３０が下側の歯車３の接線方向と平行になった位置で上側の歯車２の回転を阻止することができ、上側の歯車２の切り欠き平面部３０を下側の歯車３の接線方向と確実に平行な状態できる。
【００４９】
また、本例では、ラチェット３６は、後部側に上側の回転支持軸６を一方向に回転させるハンドル９に係止離脱可能な係止部３７を有し、ハンドル９を下方へ回動し上側の回転支持軸６を回転させる動作時には、係止部３７がハンドル９から離脱してラチェット３６が自重によりハンドル９と同方向に回動し、先端部に有する爪部３５が円盤部３３の外周に摺接し、上側の歯車２の切り欠き平面部３０が下側の歯車３の接線方向と平行になった位置で円盤部３３の外周に設けた切り欠き溝部３４に係止し、ハンドル９を上方へ回動したときには、係止部３７がハンドル９に係止して持ち上げられてハンドル９と同方向へ回動し、ラチェット３６の爪部３５が円盤部３３の外周に設けた切り欠き溝部３４から外れるようになっているので、ハンドル９を上方へ回動することにより、上側の歯車２の回転の阻止が解除される。
【００５０】
そして、本例では、前記したように、ブレーキ部２０，２６により上側の回転支持軸６と下側の回転支持軸７の不用意な回転が防止されているので、上側の歯車２の回転の阻止が解除されても上側の回転支持軸６と下側の回転支持軸７の回転が防止でき、上側の歯車２の切り欠き平面部３０と下側の歯車３の接線方向との平行な状態を維持できる。
【００５１】
図１２は本発明に係る紙類の綴じ込み機の実施の形態の第２例を示す一部省略断面図である。
本例の紙類の綴じ込み機は基本構成を前述した第１例と同じくするものであり、図１２において前述した第１例と対応する部分には同一の符号を付し、その説明を省略する。
本例の紙類の綴じ込み機は、前述した第１例と同様、躯体５は上側躯体１０と、下側躯体１１とからなり、上側躯体１０には上側の歯車２を固定した上側の回転支持軸６が組み込まれ、下側躯体１１には下側の歯車３を固定した下側の回転支持軸７が組み込まれている。
【００５２】
本例と第１例との相違は、圧縮力調節手段２７だけである。本例における圧縮力調節手段２７は、上側躯体１０には底面に開口する雌ねじ穴３９を形成し、下側躯体１１には雌ねじ穴３９に一致する位置に開口するボルト挿通孔４０を形成して、下側躯体１１の下面側からボルト４１を挿通し、上側躯体１０の雌ねじ穴３９に螺合することにより、上側躯体１０と下側躯体１１を固定可能とし、ボルト４１と下側躯体１１との間に筒状に形成した弾性体４２を介在させ、且つ弾性体４２とボルト４１の頭部との間に押圧体４３を介在させ、ボルト４１を上側躯体１０の雌ねじ穴３９に螺合することにより、押圧体４３と下側躯体１１との間で弾性体４２の締め付けを行う構成としている。弾性体４２として、本例ではウレタン樹脂が使用されている。
【００５３】
本例では、複数枚の紙類４を歯車２と歯車３の歯部１，１の噛み合いにより圧縮したとき、この圧縮力が弾性体４２の弾力より大きいとき、弾性体４２が圧縮されて下側躯体１１が上側躯体１０から離反方向に移動し、これに伴って、下側の回転支持軸７が上側の回転支持軸６から離反し、歯車２と歯車３の歯部１，１による紙類４の圧縮力が緩和されることになり、紙類４に無理な圧縮力が加わらず、破れを抑えた状態で綴じ込みが行える。
そして、この弾性体４２の弾力は、ボルト４１により押圧体４３と下側躯体１１との間で弾性体４２を締め付けることにより容易に調節することができ、紙類４の厚さ、枚数、硬さ、柔らかさに応じて調節できる。
【００５４】
図１３は前述した第１例及び第２例で使用される一対の歯車２，３の他例を示している。
図１３に示す一対の歯車２，３は、いずれも１８０度方向両側に、１８０度方向と直交する方向に平行な切り欠き平面部３０が形成されており、上側の歯車２の切り欠き平面部３０と下側の歯車３の切り欠き平面部３０との間に紙類挿入間隙３１が形成されるよになっている。
【００５５】
このように構成された歯車２，３では、両者の切り欠き平面部３０が対向したとき、上側の歯車２の回転を下側の歯車３に伝達することができないので、図１４に示すように、上側の歯車２を固定した上側の回転支持軸６と下側の歯車３を固定した下側の回転支持軸７に回転伝達歯車４４，４４を設ける。
【００５６】
なお、前記した実施例に示す上側の歯車２と下側の歯車３は、上側の歯車２または上側の歯車２と下側の歯車３の双方に切り欠き平面部３０が形成されているが、切り欠き平面部３０が形成されてない歯車であってもよい。このような歯車の場合は、紙類４の一辺から他辺まで連続した綴じ込みが行える。
【符号の説明】
【００５７】
１  歯部
２，３  歯車
４  紙類
５  躯体
６，７  回転支持軸
８  ワンウエイクラッチ
９  ハンドル
１０  上側躯体
１０ａ  左上側躯体部
１０ｂ  右上側躯体部
１１  下側躯体
１１ａ  左下側躯体部
１１ｂ  右下側躯体部
１２ａ，１２ｂ  挿通孔
１３  空間部
１４ａ，１４ｂ  挿通孔
１５  空間部
１６  雌ねじ部
１７  雄ねじ
１８  軸受
１９  ワッシャ
２０  ブレーキ部
２１  バネ
２２  ボルト
２３  雌ねじ部
２４  雄ねじ
２５  ワッシャ
２６  ブレーキ部
２７  圧縮力調節手段
２８  弾性体
２９  押圧体
３０  切り欠き平面部
３１  紙類挿入間隙
３２  歯車回転規制手段
３３  円盤部
３４  切り欠き溝部
３５  爪部
３６  ラチェット
３７  係止部
３８  台板
３９  雌ねじ穴
４０  ボルト挿通孔
４１  ボルト
４２  弾性体
４３  押圧体
４４  回転伝達歯車
Ｓ  間隙
【図１】
2015112783.tif 000003
【図２】
2015112783.tif 000004
【図３】
2015112783.tif 000005
【図４】
2015112783.tif 000006
【図５】
2015112783.tif 000007
【図６】
2015112783.tif 000008
【図７】
2015112783.tif 000009
【図８】
2015112783.tif 000010
【図９】
2015112783.tif 000011
【図１０】
2015112783.tif 000012
【図１１】
2015112783.tif 000013
【図１２】
2015112783.tif 000014
【図１３】
2015112783.tif 000015
【図１４】
2015112783.tif 000016
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
対向する外周面に互いに噛み合う複数の歯部をそれぞれ有する一対の歯車を有し、前記一対の歯車間に複数枚の紙類を送り込み、前記一対の歯車を回転させることにより噛み合った前記歯部間で前記複数枚の紙や金属シートを圧縮して綴じる紙類の綴じ込み機であって、
前記一対の歯車は躯体に平行に組み込まれた一対の回転支持軸に、対向する歯部が噛み合うように位置決めして固定し、前記一対の回転支持軸は前記躯体に、それぞれ回転可能に組み込み、前記一対の回転支持軸の内の一方の回転支持軸には、ワンウエイクラッチを介して前記一方の回転支持軸を一方向に回転させるハンドルを取り付けたことを特徴とする紙類の綴じ込み機。
【請求項２】
前記一対の回転支持軸は前記躯体に、それぞれ回転に所定の負荷がかけられた状態で回転可能に組み込まれていることを特徴とする請求項１に記載の紙類の綴じ込み機。
【請求項３】
前記一対の回転支持軸の内の他方の回転支持軸を、圧縮可能な弾性体で一方の回転支持軸に対し平行に接近離反方向への移動を可能に支持させ、前記弾性体の締め付け度合いによる伸縮性に基づく移動許容範囲の調節が行えるようにし、前記一対の回転支持軸に固定された一方の歯車の歯部と他方の回転支持軸に固定された他方の歯車の歯部とによる紙類の圧縮力の調節が行えるようにした圧縮力調節手段を備えたことを特徴とする請求項１または２のいずれか１に記載の紙類の綴じ込み機。
【請求項４】
前記圧縮力調節手段は、前記他方の回転支持軸の両端部にそれぞれ雌ねじ部を形成し、そして、前記他方の回転支持軸の中程に前記他方の歯車を固定して、その両端部を躯体の両側に突出させ、前記回転支持軸の両端部外周に筒状に形成した前記弾性体を嵌合し、前記雌ねじ部に前記弾性体に当接する押圧体を介在させて雄ねじを螺合することにより、前記押圧体と前記躯体との間で前記弾性体の締め付けを行う構成としたことを特徴とする請求項３に記載の紙類の綴じ込み機。
【請求項５】
前記圧縮力調節手段は、前記躯体を上下に分割して上側躯体と下側躯体とし、上側躯体には底面に開口する雌ねじ穴を形成し、下側躯体には雌ねじ穴に一致する位置に開口するボルト挿通孔を形成して、下側躯体の下面側からボルトを挿通し、上側躯体の雌ねじ穴に螺合することにより、上側躯体と下側躯体を固定可能とし、前記ボルトと下側躯体との間に筒状に形成した前記弾性体を介在させ、且つ前記弾性体とボルトの頭部との間に押圧体を介在させ、前記ボルトを上側躯体の雌ねじ穴に螺合することにより、前記押圧体と前記下側躯体との間で前記弾性体の締め付けを行う構成としたことを特徴とする請求項３に記載の紙類の綴じ込み機。
【請求項６】
前記一方の回転支持軸に固定された一方の歯車には、前記歯部を有する周囲の一部に切り欠き平面部を形成し、前記一方の歯車の切り欠き平面部と他方の歯車の歯部との間に紙類挿入間隙を形成したことを特徴とする請求項２乃至４のいずれか１に記載の紙類の綴じ込み機。
【請求項７】
前記躯体には、前記ハンドル操作により前記歯車が回転し、前記一方の歯車の切り欠き平面部が前記他方の歯車の接線方向と平行になった位置で、前記一方の歯車の回転を規制する歯車回転規制手段を備えていることを特徴とする請求項６に記載の紙類の綴じ込み機。
【請求項８】
前記歯車回転規制手段は、前記一方の歯車と同軸上に前記一方の歯車と同心の円盤部を設け、前記円盤部の外周で前記一方の歯車の切り欠き平面部に対応する位置に切り欠き溝部を設け、後端部を前記躯体に回動自在に軸着し、先端部に、前記一方の歯車の回転とともに回転する前記円盤部の外周に摺接し、前記一方の歯車の切り欠き平面部が前記他方の歯車の接線方向と平行になった位置で、前記円盤部の外周に設けた切り欠き溝部に係止し、前記一方の歯車の回転を阻止する爪部を有するラチェットを設けた構成となっていることを特徴とする請求項７に記載の紙類の綴じ込み機。
【請求項９】
前記ラチェットは、後部側に前記一方の回転支持軸を一方向に回転させる前記ハンドルに係止離脱可能な係止部を有し、前記ハンドルを前記一方の回転支持軸を回転させる一方向へ回動する動作時には、前記係止部が前記ハンドルから離脱して前記ラチェットの爪部が前記円盤部の外周に摺接し、前記一方の歯車の切り欠き平面部が前記他方の歯車の接線方向と平行になった位置で、前記円盤部の外周に設けた切り欠き溝部に係止し、前記ハンドルを他方向へ回動する操作時には、前記係止部が前記ハンドルに係止して持ち上げられ、前記ラチェットの爪部が前記円盤部の外周に設けた切り欠き溝部から外れるようになっていることを特徴とする請求項８に記載の紙類の綴じ込み機。
【手続補正２】
【補正対象書類名】明細書
【補正対象項目名】００１６
【補正方法】変更
【補正の内容】
【００１６】
請求項１に記載の紙類の綴じ込み機によれば、前記ハンドルを一方向に回動する操作により、前記一方の回転支持軸に固定した前記一方の歯車が回転し、前記一方の歯車の回転に伴って、前記一方の歯車の前記歯部に噛み合う前記他方の歯車が回転し、前記回転する一対の歯車の間に複数枚の紙類を送り込むことにより、複数枚の紙類は、前記一対の歯車の歯部の噛み合いにより圧縮され、この圧縮により生じた結着力によって確実に綴じ込むことができる。
そして、前記一方の回転支持軸を回転させる前記ハンドルは、ワンウエイクラッチを介して前記一方の回転支持軸に取り付けられているので、前記ハンドルを連続して往復回動しても、前記一方の回転支持軸は一方向のみへの回転が得られ、複数枚の紙類の綴じ込みを容易に行うことができる。
また、構成が簡単なので、小型で、ハンデイタイプの紙類の綴じ込み機を得ることができる。